(57)【要約】【課題】複数のジャケットのそれぞれに適切な温度の温水を供給して、押出機の各部分の温度を適切に調整することができ、省スペースで且つ設備コストやランニングコストが従来よりも低減された押出機の温度調整装置を提供する。【解決手段】ジャケットのそれぞれに異なる温度の温水を供給する循環回路と、温水が貯蔵される温水タンクと、ジャケットに供給される温水を冷却する複数の冷却手段と、複数の冷却手段により冷却された温水をジャケットに供給される前に加熱する複数の加熱手段と、複数の冷却手段のそれぞれの稼働開始温度が設定されており、温度センサーの測定結果とそれぞれの稼働開始温度とを比較して複数の冷却手段のそれぞれの稼働を制御する制御部と、複数の冷却手段により冷却された前記温水の温度を測定する温度センサーとを備え、稼働開始温度が最低温調温度以下であって最低温調温度近傍の温度に設定されている押出機の温度調整装置。【選択図】図２
2016007757.tif 000002
【特許請求の範囲】
【請求項１】
押出機の各部分に取り付けられた複数のジャケットに温水を供給することにより、前記押出機の各部分の温度を個別に調整する押出機の温度調整装置であって、
複数の前記ジャケットに対応して複数設けられており、前記温水を循環させて前記ジャケットのそれぞれに異なる温度の温水を供給する循環回路と、
複数の前記循環回路のそれぞれに接続されており、前記ジャケットから排出された温水が貯蔵される温水タンクと、
前記温水タンクから前記ジャケットに供給される温水を冷却する複数の冷却手段と、
前記複数のジャケットの上流側にそれぞれ設けられており、前記複数の冷却手段により冷却された温水を前記ジャケットに供給される前に加熱する複数の加熱手段と、
前記複数の冷却手段により冷却された前記温水の温度を測定する温度センサーと、
前記複数の冷却手段のそれぞれの稼働開始温度が設定されており、前記温度センサーの測定結果と前記それぞれの稼働開始温度とを比較して、前記複数の冷却手段のそれぞれの稼働を制御する制御部と
を備え、
前記稼働開始温度が、前記ジャケットに供給される異なる温度の温水のうち、最も低い温度の温水の温度である最低温調温度以下であって最低温調温度近傍の温度に設定されていることを特徴とする押出機の温度調整装置。
【請求項２】
前記複数の冷却手段として、
前記温水タンクから供給された温水を冷却ファンにより冷却する空冷装置と、
前記空冷装置によって冷却された温水を再び前記空冷装置に供給するバイパス回路と、
前記温水タンクに冷水を供給する冷水供給回路と
を備えており、
前記稼働開始温度として、前記空冷装置の稼働を開始させる空冷開始温度と、前記バイパス回路を開通させるバイパス開通温度と、前記温水タンクに冷水を供給する冷水供給温度とが設定されていることを特徴とする請求項１に記載の押出機の温度調整装置。
【請求項３】
前記空冷装置に前記冷却ファンの周波数を任意に設定するインバータが設置されていることを特徴とする請求項２に記載の押出機の温度調整装置。
【請求項４】
前記循環回路に前記温水を循環させる循環ポンプが設けられており、
前記循環ポンプに前記循環ポンプの回転数を任意に設定するインバータが設置されていることを特徴とする請求項１ないし請求項３のいずれか１項に記載の押出機の温度調整装置。
【請求項５】
前記制御部に、前記複数の冷却手段のそれぞれの稼働停止温度が予め設定されており、
前記稼働停止温度が、前記稼働開始温度よりも低温に設定されていることを特徴とする請求項１ないし請求項４のいずれか１項に記載の押出機の温度調整装置。
【発明の詳細な説明】
【技術分野】
【０００１】
本発明は、帯状ゴム材料の成形に用いられる押出機の温度を調整する押出機の温度調整装置に関する。
【背景技術】
【０００２】
空気入りタイヤの製造工程などに用いられる帯状ゴム材料は、押出機から原料ゴムを押出すことにより成形される。このとき、押出機の温度は、帯状ゴム材料の品質に大きな影響を与えるため、一般に、押出機には温度調整用のジャケットが設けられており、温度調整装置により適切に温度調整された温水をジャケットに供給することにより押出機の温度を調整している（例えば、特許文献１）。
【０００３】
図４は、従来の押出機の温度調整装置の一例を模式的に示す図である。図４に示すように、この押出機の温度調整装置は、温水を循環させてジャケットａに温水を供給する循環回路ｆ上に、冷却装置ｂ、循環ポンプｃ、加熱装置ｄ、温度センサーｅなどが設けられて構成されており、温度センサーｅによる温水の温度測定の結果に基づいて冷却装置ｂや加熱装置ｄを稼働させることにより、ジャケットａに供給する温水の温度を調整している。
【０００４】
従来の温度調整装置の場合、冷却装置ｂとして、給水系から供給された冷水と循環回路ｆを循環する温水との間で熱交換する熱交換器が用いられているが、このような熱交換器は、間接的な冷却装置であり冷却能力が低いため、循環回路ｆ中の温水温度が上昇しすぎた場合に対応するために大型の熱交換器が必要であり、設置スペースや設備コストの面での問題が生じていた。
【０００５】
また、押出機の最適温度は、スクリュー部とシリンダー部とヘッド部とでそれぞれ異なるため、各部分の温度を調整するジャケット毎に冷却装置や加熱装置を設ける必要がある点でも、設置スペースや設備コストの問題が生じる原因となっていた。
【０００６】
さらに、従来の温度調整装置では、ジャケットａに供給される温水の流量が少なくなった場合に循環回路ｆに補給水を供給する補給水供給ラインｇを有しているが、この補給水は温度管理されていない冷水であるため、補給水により、加熱装置ｄの電気使用量が大きくなることによるランニングコストの増加という問題も有していた。
【先行技術文献】
【特許文献】
【０００７】
【特許文献１】実開平６―２４９２７号公報
【発明の概要】
【発明が解決しようとする課題】
【０００８】
このため、本発明は、複数のジャケットのそれぞれに適切な温度の温水を供給して、押出機の各部分の温度を適切に調整することができ、省スペースで且つ設備コストやランニングコストが従来よりも低減された押出機の温度調整装置を提供することを課題とする。
【課題を解決するための手段】
【０００９】
請求項１に記載の発明は、
押出機の各部分に取り付けられた複数のジャケットに温水を供給することにより、前記押出機の各部分の温度を個別に調整する押出機の温度調整装置であって、
複数の前記ジャケットに対応して複数設けられており、前記温水を循環させて前記ジャケットのそれぞれに異なる温度の温水を供給する循環回路と、
複数の前記循環回路のそれぞれに接続されており、前記ジャケットから排出された温水が貯蔵される温水タンクと、
前記温水タンクから前記ジャケットに供給される温水を冷却する複数の冷却手段と、
前記複数のジャケットの上流側にそれぞれ設けられており、前記複数の冷却手段により冷却された温水を前記ジャケットに供給される前に加熱する複数の加熱手段と、
前記複数の冷却手段により冷却された前記温水の温度を測定する温度センサーと、
前記複数の冷却手段のそれぞれの稼働開始温度が設定されており、前記温度センサーの測定結果と前記それぞれの稼働開始温度とを比較して、前記複数の冷却手段のそれぞれの稼働を制御する制御部と
を備え、
前記稼働開始温度が、前記ジャケットに供給される異なる温度の温水のうち、最も低い温度の温水の温度である最低温調温度以下であって最低温調温度近傍の温度に設定されていることを特徴とする押出機の温度調整装置である。
【００１０】
請求項２に記載の発明は、
前記複数の冷却手段として、
前記温水タンクから供給された温水を冷却ファンにより冷却する空冷装置と、
前記空冷装置によって冷却された温水を再び前記空冷装置に供給するバイパス回路と、
前記温水タンクに冷水を供給する冷水供給回路と
を備えており、
前記稼働開始温度として、前記空冷装置の稼働を開始させる空冷開始温度と、前記バイパス回路を開通させるバイパス開通温度と、前記温水タンクに冷水を供給する冷水供給温度とが設定されていることを特徴とする請求項１に記載の押出機の温度調整装置である。
【００１１】
請求項３に記載の発明は、
前記空冷装置に前記冷却ファンの周波数を任意に設定するインバータが設置されていることを特徴とする請求項２に記載の押出機の温度調整装置である。
【００１２】
請求項４に記載の発明は、
前記循環回路に前記温水を循環させる循環ポンプが設けられており、
前記循環ポンプに前記循環ポンプの回転数を任意に設定するインバータが設置されていることを特徴とする請求項１ないし請求項３のいずれか１項に記載の押出機の温度調整装置である。
【００１３】
請求項５に記載の発明は、
前記制御部に、前記複数の冷却手段のそれぞれの稼働停止温度が予め設定されており、
前記稼働停止温度が、前記稼働開始温度よりも低温に設定されていることを特徴とする請求項１ないし請求項４のいずれか１項に記載の押出機の温度調整装置である。
【発明の効果】
【００１４】
本発明によれば、複数のジャケットのそれぞれに適切な温度の温水を供給して、押出機の各部分の温度を適切に調整することができ、省スペースで且つ設備コストやランニングコストが従来よりも低減された押出機の温度調整装置を提供することができる。
【図面の簡単な説明】
【００１５】
【図１】押出機の温度調整装置の一例を模式的に示す図である。
【図２】本発明の一実施の形態に係る押出機の温度調整装置を示す側面図である。
【図３】本発明の一実施の形態に係る押出機の温度調整装置の制御を示すフローチャートである。
【図４】従来の押出機の温度調整装置の一例を模式的に示す図である。
【発明を実施するための形態】
【００１６】
以下、本発明を実施の形態に基づき、図面を用いて説明する。
【００１７】
１．本発明の経緯
本発明者は、上記した従来の温度調整装置の問題点を解決するために検討を重ねた結果、先ず、１つの温水タンクに複数の循環回路を接続して各ジャケットの温度を調整する温度調整装置を考えるに至った。
【００１８】
図１に示すように、この温度調整装置は、複数のジャケットａ１〜ａ５に対応して複数の循環回路ｈ１〜ｈ５を備えており、それぞれの循環回路ｈ１〜ｈ５に温水を循環させてジャケットａ１〜ａ５のそれぞれに異なる温度の温水を供給するように構成されている。そして、それぞれの循環回路ｈ１〜ｈ５は１つの温水タンクｊに接続されており、温水タンクｊの下流には冷却ファンｉを備えた冷却装置ｂが設けられている。
【００１９】
この温度調整装置の場合、ジャケットａ１〜ａ５には、それぞれ異なる温度の温水が供給される。具体的には、ジャケットａ１〜ａ５から排出された温水を、温水タンクｊに貯めた後、冷却装置ｂに供給する。冷却装置ｂでは、循環回路ｈ１〜ｈ５に供給される温水の温度が、ジャケットａ１〜ａ５に供給する温水のうち最も低温の温水の温度（最低温調温度）以下になるように、温水タンクｊからの温水を常時冷却する。そして、最低温調温度以下になるように冷却された温水を再び循環回路ｈ１〜ｈ５に供給して、加熱装置ｄによってそれぞれのジャケットａ１〜ａ５に適した温度まで加熱する。このようにジャケットａ１〜ａ５から排出された温水を温水タンクｊに戻すことにより、省エネ化が図れる。
【００２０】
なお、この温度調整装置の場合、通常は、図１の一点鎖線の矢印で示すように、ジャケットａ１〜ａ５毎に形成されている循環路内を温水が循環しており、循環中の温水の温度が高くなれば、この循環路から温水を排水すると共に、温水タンクｊから冷却水（補給水）を補給する。なお、図２では、図面の複雑化を避けるために、一点鎖線を一部のみに記載する。
【００２１】
このように、それぞれの循環回路ｈ１〜ｈ５に供給される前の温水を最低温調温度以下になるまで冷却した後に、各循環回路ｈ１〜ｈ５において個別に加熱しているため、複数のジャケットａ１〜ａ５毎に冷却装置を設けなくても、それぞれのジャケットａ１〜ａ５に異なった温度の温水を適切に供給することができる。
【００２２】
また、この温度調整装置の場合、冷却ファンｉによって温水を常時冷却しているため、大型の熱交換器を用いなくても、従来の温度調整装置よりも適切に温水を冷却することができる。
【００２３】
そして、ジャケットａ１〜ａ５から排出された温水を温水タンクｊに貯蔵して、温水タンクｊからそれぞれの循環回路ｈ１〜ｈ５に温水を供給しているため、温度管理されていない冷水を循環回路に直接供給するだけの従来の温度調整装置と異なり、加熱装置ｄによる過剰な加熱を抑制することができ、電気使用量を低減させることができる。
【００２４】
しかし、さらに検討した結果、図１に示す温度調整装置には未だ改良の余地があり、いくつかの問題点を有していることが分かった。
【００２５】
即ち、温水タンクｊから排出された温水が冷却ファンｉにより常時冷却されており、冷却後の温水の温度が制御されていないため、必要以上に冷却が行われる恐れがあった。この場合、過剰に冷却された温水を加熱する必要があるため、冷却装置ｂの消費電力だけでなく、加熱装置ｄの消費電力も大きくなる。
【００２６】
また、冷却ファンｉのみで温水を冷却しているため、ジャケットａ１〜ａ５から排出された温水が高温になると、冷却能力が不足して、最低温調温度を超える温度の温水がジャケットａ１〜ａ５に供給される恐れがある。
【００２７】
本発明者は、上記の問題を鑑みて、図１に示す温度調整装置をさらに改良した結果、本発明に至った。以下、本発明の一実施の形態に係る温度調整装置を説明する。
【００２８】
２．本実施の形態に係る温度調整装置
（１）装置構成
図２は本実施の形態に係る押出機の温度調整装置を示す回路図である。図２に示すように、本実施の形態に係る押出機の温度調整装置においては、押出機のスクリュー部２、シリンダー部３およびヘッド部４のそれぞれのジャケット５ａ〜５ｃに、異なる温度に調整された温水を供給することにより押出機の各部２〜４の温度を個別に調整している。なお、本実施の形態に係る温度調整装置が取り付けられる押出機としては、例えば、Φ９０押出機が挙げられる。
【００２９】
本実施の形態に係る温度調整装置は、上記した図１の温度調整装置と同様に、複数のジャケット５ａ〜５ｃに対応した複数の循環回路１３ａ〜１３ｃと、ジャケット５ａ〜５ｃから排出された温水が貯蔵される温水タンク６とを備えている。温水タンク６に貯められた温水は、供給回路２０を介してそれぞれの循環回路１３ａ〜１３ｃに供給され、ジャケット５ａ〜５ｃの冷却のための冷却水（補給水）として循環して使用され、加熱手段としての電気ヒーターを備えた加熱装置１２ａ〜１２ｃにより所定の温度に加熱された後にジャケット５ａ〜５ｃに供給される。なお、図２中の符号１０ａ〜１０ｄは温水を循環させるための循環ポンプであり、符号２１は温度センサーとしての熱電対である。
【００３０】
なお、本実施の形態に係る温度調整装置も、図１に示す温度調整装置と同様に、通常は、一点鎖線の矢印で示す通り、ジャケット５ａ〜５ｃ毎に形成されている循環路内を温水が循環している。そして、循環中の温水の温度が高くなれば、排水バルブ１６を開き、ジャケット５ａ〜５ｃ毎に形成されている循環路から温水を排水すると共に、温水タンク６から冷却水（補給水）を補給する。
【００３１】
本実施の形態に係る温度調整装置は、温水タンク６から循環回路１３ａ〜１３ｃに供給される温水を冷却する冷却手段を複数（３つ）備えている。具体的には、本実施の形態に係る温度調整装置は、冷却手段として、空冷装置９、バイパス回路１５、冷水供給回路１７を備えている。
【００３２】
空冷装置９は、冷却ファン８を備えており、冷却ファン８から冷風を当てることにより、温水タンク６から供給された温水を冷却する。
【００３３】
バイパス回路１５は、温水タンク６と空冷装置９との間の回路と、空冷装置９下流の供給回路２０とを接続する回路であり、バイパスバルブ１５ａと逆止弁１５ｂが設けられている。バイパスバルブ１５ａが開き、バイパス回路１５が開通すると、空冷装置９によって冷却された温水が再び空冷装置９に供給されることにより、循環回路１３ａ〜１３ｃに供給される前の温水がさらに冷却される。
【００３４】
また、冷水供給回路１７は、温水タンク６の上方に接続されており、冷水バルブＶ１が設けられている。冷水バルブＶ１が開き、冷水供給回路１７が開通すると、冷水である補給水が温水タンク６内に供給されて温水タンク６中の温水が冷却される。なお、図２中の符号１７ａはストレーナーである。
【００３５】
（２）温度調整方法
上記の各構成を備える本実施の形態に係る温度調整装置は、適切な温度（最低温調温度ｎ（℃））に調整された温水が循環回路１３ａ〜１３ｃに供給されるように、上記した冷却手段により冷却された温水の温度を測定する温度センサー２１の測定結果に基づいて、空冷装置９、バイパス回路１５、冷水供給回路１７のそれぞれの動作を制御する。なお、図２に示すように、本実施の形態では、温度センサー２１が空冷装置９の下流に設けられている。
【００３６】
図３は本実施の形態に係る温度調整装置の制御を示すフローチャートである。以下、このフローチャートについて、図２も用いながら説明する。先ず、本実施の形態に係る温度調整装置では、温度センサー２１が空冷装置９の下流側の温水の温度を測定して測定結果を制御部１４に送信し、制御部１４に組み込まれている温度調節計（ＵＴ３２Ａ、ＴＯＫＯＧＡＷＡ）で冷却ファン８の動作、バイパス回路１５の動作、冷水バルブＶ１の動作を制御する信号を出力する。
【００３７】
制御部１４には、最低温調温度を基準として、上記したそれぞれの冷却手段の稼働開始温度が最低温調温度付近に設定されている。具体的には、制御部１４に、空冷装置９の稼働を開始させる空冷開始温度と、バイパス回路１５を開通させるバイパス開通温度と、冷水供給回路１７から温水タンク６に冷水を供給する冷水供給温度とが設定されている。なお、「最低温調温度付近」は、最低温調温度以下であって最低温調温度近傍の温度であり、例えば、最低温調温度から最低温調温度よりも５℃低い程度までの温度範囲を示す。
【００３８】
制御部１４は、温度センサー２１の測定結果から空冷装置９下流の温水の水温が上昇した場合、上昇した温度が、上記した各稼働開始温度を超えているか否かを判定する。なお、以下の説明においては、具体的な値を例示して３つの冷却手段に対する稼働開始温度を説明しているが、これらの稼働開始温度は、微調整可能な範囲内で任意に設定可能である。
【００３９】
空冷開始温度は、最低温調温度よりも３℃低い温度（ｎ−３℃）に設定されており、空冷装置９下流の温度Ｔがｎ−３℃を超えた際（Ｔ＞ｎ−３）に冷却ファン８を稼働させて空冷装置９を通過する温水を冷却する。
【００４０】
バイパス開通温度は、上記した空冷開始温度よりも高温に設定されており、空冷装置９下流の温水の温度Ｔがバイパス開通温度を超えた場合、冷却ファン８の稼働と共にバイパス回路１５が開通するように設定されている。具体的には、バイパス開通温度は、最低温調温度よりも２℃低い温度（ｎ−２℃）に設定されており、空冷装置９下流の温水の温度Ｔがｎ−２℃を超えた際（Ｔ＞ｎ−２）に、バイパスバルブ１５ａが開くことにより、空冷装置９を通過した温水が再び空冷装置９の上流側に戻るようにバイパス回路１５が開通する。これにより、上記した空冷装置９の稼働のみでは冷却しきれなかった温水が再び冷却されるように回路が形成される。
【００４１】
冷水供給温度は、空冷開始温度、バイパス開通温度よりも高温に設定されており、空冷装置９下流の温水の温度Ｔが冷水供給温度を超えた場合には、冷却ファン８の稼働とバイパス回路１５の開通に加えて、温水タンク６に冷水が供給されるように設定されている。具体的には、冷水供給温度は、最低温調温度（ｎ℃）と同じ温度に設定されており、空冷装置９下流の温水の温度Ｔが最低温調温度（ｎ℃）を超えた（Ｔ＞ｎ）際に、冷水バルブＶ１が開いて、冷水供給回路１７から補給水（冷水）を温水タンク６に供給する。これにより、上記した空冷装置９の稼働とバイパス回路１５の開通では充分に冷却しきれなかった温水を適切な温度まで冷却する。
【００４２】
このように、循環回路１３ａ〜１３ｃの最低温調温度に基づいて、それぞれの冷却手段の稼働開始温度を設定し、温度センサー２１の測定結果とそれぞれの冷却手段の稼働開始温度とを比較して、それぞれの冷却手段の稼働を制御することにより、空冷装置９下流の温水の温度に応じた適切な冷却を行い、温水を最低温調温度付近に適切に調整して、それぞれの循環回路１３ａ〜１３ｃに供給することができる。
【００４３】
そして、最低温調温度付近に温度調整された温水は、各循環回路１３ａ〜１３ｃにおいて、加熱装置１２ａ〜１２ｃにより、供給先のジャケットの設定温度に応じた温度まで加熱された後、ジャケットに供給される。
【００４４】
上記のように、本実施の形態によれば、温水を最低温調温度付近に適切に調整して、それぞれの循環回路１３ａ〜１３ｃに供給することができるため、高温の温水が充分に冷却されずに循環回路１３ａ〜１３ｃに供給されて、最低温調温度を超える温度の温水がジャケットに供給されることを防止することができる。
【００４５】
また、最低温調温度を基準とした稼働開始温度に基づいて各冷却手段の稼働を制御しているため、温水が必要以上に冷却されることにより、空冷装置９や加熱装置１２ａ〜１２ｃの消費電力が大きくなることを防止することができる。
【００４６】
このように排水を温水タンク６に戻す完全クローズ型を形成することにより、基本的には、エネルギーの受け渡しが行われた温水を廃棄する必要がなくなる。温水を廃棄する場合は、冷水バルブＶ１が開いて温水タンク６から温水をオーバブローするときのみになるので、温水の廃棄量を最小限で済ませることができる。
【００４７】
さらに、本実施の形態によれば、図１の温度調整装置と同様に、図４の従来の温度調整装置が有していた種々の問題点も適切に解消することができる。
【００４８】
具体的には、空冷装置９において冷却ファン８による常時冷却が可能であるため、従来の温度調整装置のように大型の熱交換器を用いなくても適切に温水を冷却することができる。
【００４９】
また、それぞれの循環回路１３ａ〜１３ｃに供給される前の温水を最低温調温度よりも低温に冷却した後に、各循環回路１３ａ〜１３ｃにおいて個別に加熱しているため、ジャケット５ａ〜５ｃ毎に冷却装置を設けなくても、異なった温度の温水を供給することができる。
【００５０】
さらに、温水タンク６に貯蔵された温水を各循環回路１３ａ〜１３ｃに供給しているため、補給水として冷水を供給する従来の温度調整装置のような加熱装置による過剰な加熱が生じることがない。
【００５１】
以上のように、本実施の形態によれば、複数のジャケットのそれぞれに適切な温度の温水を供給して、押出機の各部分の温度を適切に調整することができ、省スペースで且つ設備コストやランニングコストを従来よりも低減することができる。
【００５２】
なお、温水を充分に冷却して最低温調温度を超える温水が循環回路に供給されることを確実に防止するという観点から、制御部に、複数の冷却手段のそれぞれの稼働停止温度が設定されており、この稼働停止温度が、上記した稼働開始温度よりも低温に設定されていることが好ましい。
【００５３】
例えば、上記のように、空冷開始温度が最低温調温度よりも３℃低い温度（ｎ−３℃）に設定されている場合、空冷装置の稼働停止のタイミングを設定するための空冷停止温度は、最低温調温度よりも５℃低い温度（ｎ−５℃）に設定されていることが好ましい。
【００５４】
同様に、バイパス開通温度が最低温調温度よりも２℃低い温度（ｎ−２℃）に設定されている場合には、バイパス回路を閉鎖するタイミングを設定するためのバイパス閉鎖温度が最低温調温度よりも３℃低い温度（ｎ−３℃）に設定されていることが好ましい。
【００５５】
また、冷水供給温度が最低温調温度（ｎ℃）と同じ温度に設定されている場合には、冷水の供給を停止するタイミングを設定するための冷水停止温度が最低温調温度よりも１℃低い温度（ｎ−１℃）に設定されていることが好ましい。
【００５６】
また、空冷装置は、冷却ファンの周波数をインバータにより任意に設定されるように構成されていることが好ましい。これにより、冷却温度に合わせて冷却ファンを適切な周波数で運転することができるため、冷却ファンの消費電力をさらに低減して製造コストをより削減することができる。また、同様の趣旨により、温水を循環させる循環ポンプ１０ａ〜１０ｄについてもインバータにより回転数を任意の値に設定できるように構成されていることが好ましい。
【００５７】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００５８】
２                              スクリュー部
３                              シリンダー部
４                              ヘッド部
５ａ〜５ｃ、ａ、ａ１〜ａ５      ジャケット
６、ｊ                          温水タンク
８、ｉ                          冷却ファン
９                              空冷装置
１０ａ〜１０ｄ、ｃ              循環ポンプ
１２ａ〜１２ｃ、ｄ              加熱装置
１３ａ〜１３ｃ、ｆ、ｈ１〜ｈ５  循環回路
１４                            制御部
１５                            バイパス回路
１５ａ                          バイパスバルブ
１５ｂ                          逆止弁
１６                            排水バルブ
１７                            冷水供給回路
１７ａ                          ストレーナー
２０                            供給回路
２１、ｅ                        温度センサー
ｂ                              冷却装置
ｇ                              補給水供給ライン
ｎ                              最低温調温度
Ｔ                              タンク内の温水の温度
Ｖ１                            冷水バルブ
【図１】
2016007757.tif 000003
【図２】
2016007757.tif 000004
【図３】
2016007757.tif 000005
【図４】
2016007757.tif 000006